(57)【要約】【課題】毎日頻繁に有機性廃棄物を排出する店舗等に場所を取ることなく簡便に設置することができ、かつ、処理に際して発生する臭気をできるだけ外部に漏らさないようにすることができる有機性廃棄物処理装置を提供する。【解決手段】外框体１の内部に、投入された有機性廃棄物ｂを処理する処理槽２を設け、外框体内の一側に該外框体内の空気を外部へ排出させる排気手段３を設けて、外框体内において処理槽よりも上部にその下流側を排気手段の始端側に臨ませた脱臭手段４を設けると共に、外框体は、処理槽の投入部５へその投入口６を対応させて該投入口の閉塞時、外框体内を密封状態に維持させる開閉蓋７を設ける。【選択図】    図１
2005230649.tif 000002
【特許請求の範囲】
【請求項１】
外框体と、この外框体の内部に設けて投入された有機性廃棄物を処理する処理槽と、前記外框体内の一側に設けて該外框体内の空気を外部へ排出させる排気手段と、前記外框体内において前記処理槽よりも上部に設けて前記排気手段による排気通路に設けた脱臭手段とを備えさせ、
前記外框体は、前記処理槽の投入部へ前記外框体に設けた投入口を対応させて、該投入口の閉塞時、前記外框体内を密封状態に維持させる開閉蓋を設けたことを特徴とする有機性廃棄物処理装置。
【請求項２】
外框体における下外框体の上部において、該下外框体の後側部へ片寄らせて上外框体を設けて、この上外框体において複数に区画した収容室を形成してなり、
これら複数の収容室へ着脱自在となる脱臭部材を取り付けたことを特徴とする請求項１記載の有機性廃棄物処理装置。
【請求項３】
排気手段と脱臭手段との接続は、外框体内の空間部を介して行われていることを特徴とする請求項１記載の有機性廃棄物処理装置。
【請求項４】
排気手段は、外框体内の空気が排出されるその排気量の多少を、選択的に複数量に調整することを特徴とする請求項１記載の有機性廃棄物処理装置。
【発明の詳細な説明】
【技術分野】
【０００１】
本発明は、毎日頻繁に有機性廃棄物を排出する店舗等に場所を取ることなく簡便に設置することができ、かつ、処理に際して発生する臭気をできるだけ外部に漏らさないようにすることができる有機性廃棄物処理装置に関する。
【背景技術】
【０００２】
従来、飲食店等において発生する残飯や野菜屑などの生ゴミあるいは、コンビニエンスストアーなどから出る賞味期間切れ等の弁当などの食品等廃棄物は、一般焼却できる生ゴミと一緒に回収され、所定の施設で焼却処分されていた。
または、飼料として使用できる生ゴミ等廃棄物は畜産家などにより回収され、再利用されることで、毎日排出される生ゴミに対する対策を行っていた。
【０００３】
しかしながら、これらの処理にあっては、前記廃棄物が排出されるたびに、所定大きさのバケツなどの回収容器へ一旦収容しておき、定められた時間に回収場所へ運ばなければならず、その間は、建物の一室に保管しておかなければならないので、不衛生となりやすく、しかも、異臭，悪臭が発生して、飲食店等にあっては極めて好ましくない環境を呈するのが現状であった。
【発明の開示】
【発明が解決しようとする課題】
【０００４】
本発明は、前記した問題点を解決するためになされたもので、外框体の内部に、投入された有機性廃棄物を処理する処理槽を設け、外框体内の一側に該外框体内の空気を外部へ排出させる排気手段を設けて、外框体内において処理槽よりも上部にその下流側を前記排気手段の始端側に臨ませた脱臭手段を設けると共に、外框体は、処理槽の投入部へその投入口を対応させて該投入口の閉塞時前記外框体内を密封状態に維持させる開閉蓋を設けることにより、毎日頻繁に有機性廃棄物を排出する店舗等に場所を取ることなく簡便に設置することができ、かつ、処理に際して発生する臭気をできるだけ外部に漏らさないようにすることができる有機性廃棄物処理装置を提供することを目的としている。
【課題を解決するための手段】
【０００５】
前記した目的を達成するための本発明の手段は、
外框体と、この外框体の内部に設けて投入された有機性廃棄物を処理する処理槽と、前記外框体内の一側に設けて該外框体内の空気を外部へ排出させる排気手段と、前記外框体内において前記処理槽よりも上部に設けて前記排気手段による排気通路に設けた脱臭手段とを備えさせ、
前記外框体は、前記処理槽の投入部へ前記外框体に設けた投入口を対応させて、該投入口の閉塞時、前記外框体内を密封状態に維持させる開閉蓋を設けた有機性廃棄物処理装置の構成にある。
【０００６】
外框体における下外框体の上部において、該下外框体の後側部へ片寄らせて上外框体を設けて、この上外框体において複数に区画した収容室を形成してなり、
これら複数の収容室へ着脱自在となる脱臭部材を取り付ける。
【０００７】
排気手段と脱臭手段との接続は、外框体内の空間部を介して行われていることを特徴とする請求項１記載の有機性廃棄物処理装置。
【０００８】
排気手段は、外框体内の空気が排出されるその排気量の多少を、選択的に複数量に調整する。
【発明の効果】
【０００９】
本発明は、簡単でコンパクトに製作できて、毎日頻繁に有機性廃棄物を排出する店舗等に場所を取ることなく簡便に設置することができ、かつ、前記廃棄物の発生時において直ちに投入できて、しかも、処理に際して発生する臭気をできるだけ外部に漏らさないようにすることができる。
【発明を実施するための最良の形態】
【００１０】
次に、本発明に関する有機性廃棄物処理装置の一実施例を図面に基づいて説明する。
図１〜図４においてＡは、飲食店等において発生する残飯や野菜屑などの生ゴミあるいは、ファーストフード店やコンビニエンスストアーなどから出る賞味期間切れ等の弁当などの食品等の有機性廃棄物ｂを処理して最大限に減容化させる有機性廃棄物処理装置であって、外框体１と、処理槽２と、排気手段３と、脱臭手段４とにより基本的に構成される。
【００１１】
そして、前記した外框体１は、箱形に形成して、その内部の空間部を密閉状態あるいは略密閉状態に設けてあって、すなわち、この外框体１内の空気は容易に外部へ漏れないように構成されている。
なお、後記する排気手段３による吸気動作にあっては、若干の外気の外框体１内部への吸引は生ずるもので、例えば、後記する開閉蓋７や上外框体１ｂの蓋体３０ａ，３０ｂ，３０ｃあるいは外框体１に有する隙間、点検窓や扉などから少しずつ外気が流入する。
【００１２】
また、この外框体１は、下外框体１ａとこの下外框体１ａの後側部において一体的に接続させて内部の空間部をそれぞれ連通させた上外框体１ｂとによりなり、この下外框体１ａの上側において後記する処理槽２の投入部５へ対応させて有機性廃棄物ｂを投入する投入口６を一箇所または複数箇所に設けてある。
また、該下外框体１ａの投入口６には、その後端部に設けた蝶番等の回動部材７ａにより開閉自在となる開閉蓋７をそれぞれ設けてあって、この開閉蓋７は、該投入口６の閉塞時には外框体１内を密封状態に維持させるように、いわゆる、この投入口６からは外気が入らず、また、外框体１内の空間部から外部へ漏れないように、開閉蓋７と投入口６との当接部に気密部材（図示せず）を設けてある。
【００１３】
前記した処理槽２は、外框体１における下外框体１ａの内部に設けて、この下外框体１ａの投入口６を介して、その投入部５に外部より投入された有機性廃棄物ｂを処理するものである。
なお、この処理槽２内には、あらかじめ、有機性廃棄物ｂを分解処理する微生物をいわゆる菌床を所定量、例えば、図１において符号ｍに示す位置まで充填してある。また、処理槽２の投入部５、すなわち上部開口部は、下外框体１ａの上部に設けた仕切り体１ａ１に取り付けた開閉蓋７により閉塞することで、この仕切り体１ａ１と開閉蓋７とによって該処理槽２内は略密閉状態となる。
【００１４】
そして、該処理槽２は、その内部にモータ等の回転部材８により駆動される撹拌手段９が回転軸１０により正転または逆転自在に取り付けられている。なお、撹拌手段９は、回転軸１０より放射状で複数本を突出させた撹拌杆１１の先端部に、掻き上げ部材１２をそれぞれ角度を違えて取り付けてあって、連続運転あるいは間欠運転させる。これにより、投入された有機性廃棄物ｂおよび微生物を処理槽２内において上下方向・左右方向に撹拌混合して、該微生物による有機性廃棄物ｂの分解処理を促進させる。
【００１５】
前記した排気手段３は、外框体１における上外框体１ｂ内の一側に、例えば上部の排気室１ｂ１に設けて、該外框体１内の空気を外部へ排出させるもので、集気体１３の一側に集気口１４を設け、この内部にモータ等の駆動部材１５により回転されるファン等の排気部材１６を取り付けてある。
また、集気体１３における集気口１４の他側には、外部へその排出口１７を臨ませた排気筒１８を接続させてある。
【００１６】
なお、この排気手段３は、外框体１内の空気が排出されるその排気量の多少を、選択的に複数パターンの量に調整することができる。
すなわち、排気部材１６の回転数を制御したり、複数に排気部材１６，１６…を設けてこれら排気部材１６，１６…の同時に行う駆動数を適宜選択することで、単一時間当たりの外框体１内の気体の排出量を変化させることができる。
【００１７】
また、この排気手段３の作動によって、外框体１の内部は、負圧状態に保持されている。これにより、外框体１内からの外部への気体の漏れ出しが防止される。
【００１８】
前記した脱臭手段４は、外框体１内において上外框体１ｂへ処理槽２よりも上部において、排気手段３の排気通路に設けて、その下流側（気体が前記排気通路において排気筒１８へ向かって流動する終端部）を排気手段３の始端側に、すなわち、集気筒１３の集気口１４に臨ませてある。
【００１９】
この脱臭手段４の構成にあっては、外框体１における下外框体１ａの上部において、該下外框体１ａの後側部へ片寄らせて上外框体１ｂを設けて、この上外框体１ｂの下側において複数に区画した第一および第二，第三収容室２０ａ，２０ｂ，２０ｃ…（本実施例にあっては三室）を形成する。
これら第一および第二，第三収容室２０ａ，２０ｂ，２０ｃ…に慣用の着脱部材（図示せず）により、着脱自在となるカセット式に形成された第一および第二，第三脱臭部材２１ａ，２１ｂ，２１ｃ…を取り付けてあって、所定の使用時間ごと交換することができる。
【００２０】
また、これら第一および第二，第三収容室２０ａ，２０ｂ，２０ｃ…にうち、第一収容室２０ａに設けられた第一脱臭部材２１ａは、処理槽２の投入部５、すなわち、下外框体１ａの上部に設けた仕切り体１ａ１において、その一側部に形成した排気路２２に取り付けた第一接続体２３ａにその一側を接続させ、該第一脱臭部材２１ａの他側を第一収容室２０ａと第二収容室２０ｂとの仕切部材２４ａに取り付けた第二接続体２３ｂに接続させてある。
第二脱臭部材２１ｂは、その一側を仕切部材２４ａに取り付けた第二接続体２３ｂに接続させ、その他側を第二収容室２０ｂと第三収容室２０ｃとの仕切部材２４ｂに取り付けた第三接続体２３ｃに接続させてある。
更に、第三脱臭部材２１ｃは、その一側を仕切部材２４ｂに取り付けた第三接続体２３ｃに接続させ、その他側を第三収容室２０ｃと排気室１ｂ１との仕切部材２４ｃに取り付けた第四接続体２３ｄに接続させてある。
【００２１】
したがって、これら第一および第二，第三脱臭部材２１ａ，２１ｂ，２１ｃ…はそれぞれの接続体２３ａ，２３ｂ，２３ｃ，２３ｄを介して一連的に接続された連続で漏れを有しない排気流動路が形成されている。そのため、処理槽２内の気体は第一および第二，第三脱臭部材２１ａ，２１ｂ，２１ｃ…を順次経て、排気室１ｂ１へと導かれ、排気手段３により外部へ排出される。
なお、第一収容室２０ａおよび第二収容室２０ｂ，第三収容室２０ｃと排気室１ｂ１との仕切部材２４ｃには、それぞれ所定の大きさに穿設させた通孔２５ａ，２５ｂ，２５ｃを設けてあって、外框体１における下外框体１ａの内部および第一および第二，第三収容室２０ａ，２０ｂ，２０ｃ…の第一および第二，第三脱臭部材２１ａ，２１ｂ，２１ｃ…内を除いた内部の気体を、これら通孔２５ａ，２５ｂ，２５ｃから排気室１ｂ１へ吸引し、排気手段３によって集気体１３の集気口１４から外部へ排出される。
【００２２】
この排気手段３における排気筒１８の終端部には、第四脱臭部材２１ｄを交換自在に設けておけば、外部へ排出される最終排気工程において更に脱臭が行われて清浄な空気の排出がなされる。
【００２３】
特に、排気手段３と脱臭手段４との気体が流動するための接続は、外框体１内の空間部を介して行われている。すなわち、第三脱臭部材２１ｃから排出される気体は、一旦排気室１ｂ１内の空間部に導入され、この排気室１ｂ１内の気体を集気体１３内に吸引するため、該排気手段３の吸引力が直接的に脱臭手段４に掛からず、また、外框体１内に充満する気体（臭気をもったものも含む）も同時に排出される。
【００２４】
なお、外框体１における下外框体１ａの上部には、処理槽２へ有機性廃棄物ｂを投入する際等に用いる作業台２６が設けられている。この作業台２６は、その内端部を下外框体１ａの上部へ蝶番等の回動部材２７により回動自在に取り付け、その他端と下外框体１ａとに取り付けたストッパー２８により使用時において水平状態を保持させる。
【００２５】
なお、図５に示すように、外框体１の適所において、例えば、処理槽２の上方（収容された処理槽２内の有機性廃棄物ｂの上方）において、活性水供給手段４０を設けてあるもので、例えば、該処理槽２内へ向かって放散されるノズル体４１を一箇所または複数箇所へ取り付けてある。また、このノズル体４１から活性水を噴霧することにより、処理槽２内の有機性廃棄物ｂの発酵を促進し、その分解処理を助長させると共に、該有機性廃棄物ｂからの臭気の発生をできるだけ抑えることができる。
【００２６】
前記活性水は、有機性廃棄物ｂと混合された微生物の働きを活性化させるもので、液状にしてあって、例えば、第三収容室２０ｃ等に収容した液タンク４２に収納して、ノズル体４１へ送管４３を介して毎日複数回にわたって一定時間噴霧するものである。
噴霧に当たっては、図示しない制御手段へ入力させたプログラムに基づいて自動的に操作されるものであるが、手動により行ってもよい。
【００２７】
したがって、前記のように構成される本発明に係る一実施例の有機性廃棄物処理装置Ａは、以下に述べる作用を奏する。
この有機性廃棄物処理装置Ａは、例えば、飲食店等やコンビニエンスストアー等において設置される、すなわち、縦方向へ薄型に形成された外框体１内に、図１および図４に詳細に示すように、下方から処理槽２，脱臭手段４，排気手段３と連続的に立て配列で薄型に形成されているので、建物の壁面へ並び設けることができて、前記載置場所においてその設置スペースを取らず、かつ、使用にあって邪魔にならない。
【００２８】
該有機性廃棄物処理装置Ａの使用にあっては、あらかじめ、処理槽２内には微生物等の菌床を所定高さ位置ｍまで充填しておき、更に、処理槽２の回転部材８および排気手段３の駆動部材１５を運転させておいて、外框体１における下外框体１ａの開閉蓋７を開いて、その投入口６から臨まれる処理槽２の投入部５へ、生ゴミ等の有機性廃棄物ｂを投入する。
【００２９】
すると、処理槽２内に設けられた撹拌手段９によって有機性廃棄物ｂと菌床とが上下左右方向へ撹拌混合される。これにより、菌床が有機性廃棄物ｂを分解しつつその体積を減少させ、有機性廃棄物ｂの全体量が減少していく。
撹拌手段９は、例えば、２分間連続回転して撹拌混合動作を行い、その後、３０分間停止して処理槽２内を静置させ、更に、２分間回転して撹拌混合動作を行い、その後、３０分間停止して処理槽２内を静置させる、といった間欠運転のサイクルを連続して行う。この運転サイクルは上記条件に限定されるものではなく、処理する有機性廃棄物ｂに応じて適宜選定し得る。
【００３０】
このとき、菌床による分解処理時に発生する温度は外框体１内の空気に放散され、排気手段３による吸引操作によって、処理槽２の上部に設けた排気路２２から吸引され、まず、脱臭手段４における第一脱臭部材２１ａ内にこの気体が導入される。
そして、更に、排気手段３による吸引操作によって、第二接続体２３ｂと接続される第二脱臭部材２１ｂへ、また、第三接続体２３ｃと接続される第三脱臭部材２１ｃへと次々に連続的に導入され、第四接続体２３ｄに達した気体は、上外框体１ｂにおける排気室１ｂ１へと導入される。
【００３１】
排気室１ｂ１内に入った気体は、一旦開放状態となるが、排気手段３によって、排気手段３における集気体１３の集気口１４に再び導入され、集気体１３内を経て排気筒１８から第四脱臭部材２１ｄを介して外部へ放出される。
【００３２】
こうして、処理槽２による有機性廃棄物ｂの分解処理と、排気手段３並びに脱臭手段４による処理槽２内の気体・臭気および外框体１内の気体の脱臭と外部排出とが連続して行われる。
【００３３】
なお、処理槽２内の微生物等の菌床の最適な活動を維持させるために温度調整を行うことが必要であって、この操作は、排気手段３の運転状況による。すなわち、排気手段３における排気部材１６の回転速度を弱にしておくことで、常に、一定量の気体が処理槽２内から排出され、菌床の分解処理時に発生する発熱を適度に抑えることができる。
また、新たな有機性廃棄物ｂを処理槽２内へ投入するときは、開閉蓋７を大きく空けて投入部５，投入口６を大きく開放しなければならない。したがって、そのため、処理槽２において処理中の有機性廃棄物ｂからの臭気が外部へ漏れ出そうとする。このとき、事前に排気手段３における排気部材１６の回転速度を強にすることで、該排気手段３による吸引力が増大し、前記臭気の外部への漏れ出しが防止される。
【００３４】
なお、脱臭手段４における第一および第二，第三，第四脱臭部材２１ａ，２１ｂ，２１ｃ，２１ｄは、所定の使用時間や期間経過後取り外して新しいものと交換するもので、このうち、上外框体１ｂの各収容室２０ａ，２０ｂ，２０ｃ…に取り付けられた第一および第二，第三脱臭部材２１ａ，２１ｂ，２１ｃ…は、上外框体１ｂの外側部に設けられた着脱自在の蓋体３０ａ，３０ｂ，３０ｃから容易に付け替えを行うことができる。
【００３５】
特に、この有機性廃棄物処理装置Ａにあって、排気手段３を運転することにより、その吸気動作によって外框体１内が負圧状態（陰圧状態）となることで、開閉蓋７や上外框体１ｂの蓋体３０ａ，３０ｂ，３０ｃあるいは外框体１に有する隙間、点検窓や扉などにわずかに形成される隙間から、若干の外部の新鮮空気が該外框体１内部へ導入される。
これにより、処理槽２内の微生物等の菌床に新鮮な空気が供給され、良好な有機性廃棄物ｂの分解処理が促進される。
【図面の簡単な説明】
【００３６】
【図１】本発明に関する有機性廃棄物処理装置の一実施例を示す排気手段，脱臭手段部において縦断した正面図である。
【図２】図１における有機性廃棄物処理装置を示す斜視図である。
【図３】図１における有機性廃棄物処理装置を開閉蓋部において縦断して示す正面図である。
【図４】図１における有機性廃棄物処理装置において第一脱臭部材部において縦断して示す側面図である。
【図５】図１における有機性廃棄物処理装置において活性水供給手段を設けた例を示す縦断正面図である。
【符号の説明】
【００３７】
Ａ…有機性廃棄物処理装置．１…外框体．１ａ…下外框体．１ｂ…上外框体．２…処理槽．３…排気手段．４…脱臭手段．５…投入部．６…投入口．７…開閉蓋．２０ａ，２０ｂ，２０ｃ…収容室．２１ａ，２１ｂ，２１ｃ…脱臭部材．
【図１】
2005230649.tif 000003
【図２】
2005230649.tif 000004
【図３】
2005230649.tif 000005
【図４】
2005230649.tif 000006
【図５】
2005230649.tif 000007